(57)【特許請求の範囲】
【請求項１】
演奏音再生手段と、記憶手段と、制御手段を備えるカラオケ装置であって、
前記演奏音再生手段は、複数の構成曲をつなぎ合わせたメドレーカラオケ曲と、カラオケ曲の演奏を可能とし、
前記記憶手段は、メドレーカラオケ曲に対応するメドレー情報を記憶し、
前記メドレー情報は、各構成曲の進行位置に対応する曲番号より構成され、
前記制御手段は、メドレーカラオケ曲の演奏時に、前記入力手段より割込指定が行われた場合、メドレーカラオケ曲の演奏を中止すると共に、当該メドレーカラオケ曲に対応するメドレー情報に基づいて、割込指定時に演奏が行われていた構成曲と対応関係にある曲番号のカラオケ曲を前記演奏再生手段に演奏させるカラオケ装置。
【請求項２】
前記制御手段は、割込指定に基づくカラオケ曲の演奏終了後、指定時に演奏が行われていた構成曲の次の構成曲からメドレーカラオケ曲の演奏を再開させる請求項１に記載のカラオケ装置。
【請求項３】
演奏音再生手段と、記憶手段と、制御手段を備えるカラオケ装置であって、
前記演奏音再生手段は、複数の構成曲をつなぎ合わせたメドレーカラオケ曲と、カラオケ曲の演奏を可能とし、
前記記憶手段は、メドレーカラオケ曲に対応するメドレー情報を記憶し、
前記メドレー情報は、各構成曲の進行位置に対応する曲番号より構成され、
前記制御手段は、予約エリアに記憶される曲番号に対応するカラオケ曲を順次前記演奏音再生手段に再生させると共に、メドレーカラオケ曲の演奏時に、前記入力手段より予約指定が行われた場合、当該メドレーカラオケ曲に対応するメドレー情報に基づいて、予約指定時に演奏が行われていた構成曲と対応関係にある曲番号を予約エリアに記憶させるカラオケ装置。
【発明の詳細な説明】
【０００１】
【発明の属する技術分野】
本発明は、多数の曲の一部分をつなぎ合わせて一つにまとめた曲、いわゆるメドレーカラオケ曲を演奏することができるカラオケ装置に関し、特に、メドレーカラオケ曲を演奏している際に、スキップ、全曲割り込み演奏、全曲演奏予約を行うことができるカラオケ装置に関する。
【０００２】
【従来の技術】
従来のカラオケ装置には、多数の「カラオケ曲の一部分」をつなぎ合わせて一つにまとめたカラオケ曲（以下、「メドレーカラオケ曲」という）、例えば、１９９０年に流行した曲を集めた「１９９０年ヒットパレード」と呼ばれるメドレーカラオケ曲等が提供されており、かかるメドレーカラオケ曲は一曲のカラオケ曲として取り扱われている。よって、メドレーカラオケ曲を構成する各々のカラオケ曲（以下、「メドレーカラオケ構成曲」という）は一曲の一部分であって、各々のメドレーカラオケ構成曲が一曲として取り扱われることはない。従って、従来のカラオケ装置に備えられた演奏停止や予約割り込み等の機能を、メドレーカラオケ構成曲を対象にして（メドレーカラオケ曲内において）実行することはできなかった。
【０００３】
即ち、演奏停止機能とは、演奏されているカラオケ曲を途中で終了したい場合に、フェードアウトしながらカラオケ曲の演奏を中止し、スムーズに次のカラオケ曲へ移行する機能である。従って、メドレーカラオケ曲を演奏している最中に演奏停止機能を実行すると、フェードアウトしながらメドレーカラオケ曲の演奏を中止して、スムーズに次のカラオケ曲へ移行するので、メドレーカラオケ構成曲から次のメドレーカラオケ構成曲に移行することはできない。
【０００４】
また、予約割り込み機能とは、演奏予約されているカラオケ曲がある場合に、現在演奏されているカラオケ曲の終了後に続いて優先的に演奏されるように、割り込んでカラオケ曲の演奏予約ができる機能である。従って、メドレーカラオケ曲を演奏している最中に予約割り込み機能を実行すると、現在演奏されているメドレーカラオケ曲の終了後に続いて優先的に演奏されるように、割り込んでカラオケ曲の演奏予約を行うので、メドレーカラオケ構成曲の間に割り込んでカラオケ曲の演奏予約を行うことはできない。
【０００５】
さらに、従来のカラオケ装置では、メドレーカラオケ曲を演奏している最中において、現在演奏されているメドレーカラオケ構成曲を一部分として含むカラオケ曲（以下、「全曲」という）の演奏を予約したい場合には、カラオケ曲名リスト等で該当する曲番号を調べてキー入力することにより演奏の予約をしていた。
【０００６】
【発明が解決しようとする課題】
しかしながら、従来のカラオケ装置には以下のような問題があった。
（１）  メドレーカラオケ曲は多数のメドレーカラオケ構成曲から構成されているので、歌唱者が自ら選んだメドレーカラオケ曲でさえ、歌唱者が知らないメドレーカラオケ構成曲が含まれていることがある。従って、メドレーカラオケ曲を歌っている最中において、知らないメドレーカラオケ構成曲が演奏されると、うまく歌うことができない場合があり、せっかく盛り上がったムードに水をさすことがあった。かかる場合に、フェードアウトしながらメドレーカラオケ構成曲の演奏を中止し、スムーズに次のメドレーカラオケ構成曲へ移行すること（以下、「スキップ」という）ができれば、歌唱者が当該メドレーカラオケ曲を歌い続けながら、盛り上がったムードに水をさすことを避けることができるが、従来の技術（例えば、演奏停止機能）では対応することができない問題があった。
【０００７】
（２）  メドレーカラオケ曲を歌っている最中において、現在演奏されているメドレーカラオケ構成曲に代えてその全曲を歌いたくなる場合がある。かかる場合に、フェードアウトしながらメドレーカラオケ構成曲の演奏を中止して、スムーズにその全曲へ移行して演奏を行い、その後に演奏を中止したメドレーカラオケ構成曲の次のメドレーカラオケ構成曲から演奏を再開して、再び当該メドレーカラオケ曲に戻ること（以下、「全曲割り込み演奏」という）ができれば、歌唱者は当該メドレーカラオケ曲を歌い続けながら、メドレーカラオケ構成曲に代えてその全曲を歌うことができるが、従来の技術（例えば、予約割り込み機能）では対応することができない問題があった。
【０００８】
（３）  メドレーカラオケ曲が演奏されている最中において、現在演奏されているメドレーカラオケ構成曲が気に入って、その全曲の演奏を予約したい場合がある。かかる場合には、カラオケ曲名リスト等で該当する曲番号を調べてキー入力することにより演奏の予約をしていたが、通信型カラオケ装置の普及により収容カラオケ曲数が著しく増大傾向にある現状においては、メドレーカラオケ構成曲の題名（全曲の題名でもある）がわからないときもあり、かかる場合に従来の演奏の予約は大変に煩わしい操作であった。そこで、操作ボタンの一回の押下による簡単な操作によって、現在演奏されているメドレーカラオケ構成曲を一部分として含むカラオケ曲（全曲）について演奏の予約をすること（以下、「全曲演奏予約」という）ができれば、大変に便利であるが、従来の技術では対応できない問題があった。
【０００９】
本発明は、上述した問題点を解決するためになされたものであり、メドレーカラオケ曲を演奏している場合に、「スキップ」、「全曲割り込み演奏」、「全曲演奏予約」を行うことができるカラオケ装置を提供することを目的とする。
【００１０】
【課題を解決するための手段】
この目的を達成するため本発明のカラオケ装置は、演奏音再生手段と、記憶手段と、制御手段を備えるカラオケ装置であって、前記演奏音再生手段は、複数の構成曲をつなぎ合わせたメドレーカラオケ曲と、カラオケ曲の演奏を可能とし、前記記憶手段は、メドレーカラオケ曲に対応するメドレー情報を記憶し、前記メドレー情報は、各構成曲の進行位置に対応する曲番号より構成され、前記制御手段は、メドレーカラオケ曲の演奏時に、前記入力手段より割込指定が行われた場合、メドレーカラオケ曲の演奏を中止すると共に、当該メドレーカラオケ曲に対応するメドレー情報に基づいて、割込指定時に演奏が行われていた構成曲と対応関係にある曲番号のカラオケ曲を前記演奏再生手段に演奏させる。
【００１１】
また、前記制御手段は、割込指定に基づくカラオケ曲の演奏終了後、指定時に演奏が行われていた構成曲の次の構成曲からメドレーカラオケ曲の演奏を再開させる。
【００１２】
さらに、演奏音再生手段と、記憶手段と、制御手段を備えるカラオケ装置であって、
前記演奏音再生手段は、複数の構成曲をつなぎ合わせたメドレーカラオケ曲と、カラオケ曲の演奏を可能とし、
前記記憶手段は、メドレーカラオケ曲に対応するメドレー情報を記憶し、
前記メドレー情報は、各構成曲の進行位置に対応する曲番号より構成され、
前記制御手段は、予約エリアに記憶される曲番号に対応するカラオケ曲を順次前記演奏音再生手段に再生させると共に、メドレーカラオケ曲の演奏時に、前記入力手段より予約指定が行われた場合、当該メドレーカラオケ曲に対応するメドレー情報に基づいて、予約指定時に演奏が行われていた構成曲と対応関係にある曲番号を予約エリアに記憶させる。
【００１３】
【００１４】
上記の構成を有する本発明のカラオケ装置では、複数の「カラオケ曲の一部分」づつをつなぎ合わせたメドレーカラオケ曲を演奏することができ、メドレーカラオケ曲の演奏中において、外部スキップ入力手段から外部入力した場合には、外部入力した時に演奏していた「カラオケ曲の一部分」の残りを飛ばし、次につなぎ合わされた「カラオケ曲の一部分」から演奏を行って、メドレーカラオケ曲の演奏を続行する。
【００１５】
また、本発明のカラオケ装置では、メドレーカラオケ曲を演奏している場合に、演奏が行なわれる「カラオケ曲の一部分」の数をカウンタが数えているので、カウンタが示す数により、演奏中の「カラオケ曲の一部分」を個々に識別することができる。一方、演奏されるメドレーカラオケ曲には「カラオケ曲の一部分」に対応するメドレー情報を各々に備えており、各メドレー情報にはカウンタの数とカラオケ曲の曲番号を意味する一組の数が記憶されている。従って、カウンタが示す数を介して各メドレー情報により、演奏中の「カラオケ曲の一部分」と対応関係にあるカラオケ曲の曲番号を知ることができる。
【００１６】
従って、メドレーカラオケ曲を演奏中に外部全曲割り込み演奏入力手段から外部入力した場合には、メドレーカラオケ曲の演奏を中止するとともに、演奏を中止したメドレーカラオケ曲の各メドレー情報の中から、外部入力した時のカウンタと同じ数を組合せとする曲番号を読み取り、かかる曲番号のカラオケ曲の演奏を行うことより、外部入力した時に演奏されていた「カラオケ曲の一部分」と対応関係にあるカラオケ曲を演奏する。
【００１７】
そして、そのカラオケ曲の演奏が終了すると、外部入力した時に演奏されていた「カラオケ曲の一部分」の次につなぎ合わされた「カラオケ曲の一部分」から、メドレーカラオケ曲の演奏を再開する。このとき、カウンタの数に「１」を加算することにより、外部入力した時に演奏されていた「カラオケ曲の一部分」の次につなぎ合わされた「カラオケ曲の一部分」を演奏していることを、カウンタの数により示す。
【００１８】
また、メドレーカラオケ曲を演奏中に外部全曲演奏予約入力手段から外部入力した場合には、演奏をしているメドレーカラオケ曲の各メドレー情報の中から、外部入力した時のカウンタと同じ数を組合せとするカラオケ曲の曲番号を読み取り、かかる曲番号を記憶手段に記憶することにより、メドレーカラオケ曲の演奏を続行しながら、外部入力した時に演奏されていた「カラオケ曲の一部分」と対応関係にあるカラオケ曲の演奏を予約する。
【００１９】
【発明の実施の形態】
以下、発明の実施の形態を図面を参照にして説明する。図１にカラオケ装置１の構成をブロック図で示す。カラオケ装置１は、「カラオケ曲の一部分」であるメドレーカラオケ構成曲をつなぎ合わせたメドレーカラオケ曲およびカラオケ曲の演奏を行うことができ、コマンダ１０、アンプ２１、ＣＲＴモニタ２３、スピーカ２２、マイク２０等から構成される。コマンダ１０には、入力手段としての入力部１１、カラオケ装置１の制御を行う制御手段としてのＣＰＵ１２、後述する図６、７に示す処理のプログラム等が記憶されたＲＯＭ１３、記憶手段としてのＲＡＭ１４、演奏音再生装置１５、映像再生装置１６、記憶装置としてのハードディスク装置３０等を有している。なお、カラオケ装置１は通信型のものであるが、通信機能に関する部分は、説明の便宜上、省略している。
【００２０】
入力部１１には、外部スキップ入力手段であるスキップキー１１Ａと、外部全曲割り込み演奏入力手段である全曲割り込み演奏キー１１Ｂと、外部全曲演奏予約入力手段である全曲演奏予約キー１１Ｃと、曲番号を入力するためのテンキーである曲番号キー１１Ｄ等を備えている。ＲＡＭ１４には、演奏が行なわれたメドレーカラオケ構成曲の数を数えるカウンタ１４Ａと、カラオケ曲の演奏を予約するために曲番号が記憶される記憶手段である予約エリア１４Ｂと、演奏情報エリア１４Ｃ等を備えている。
【００２１】
ハードディスク装置３０には、演奏音情報、映像情報、演奏情報からなるカラオケ曲およびメドレーカラオケ曲が、ハードディスク３１に設けられた演奏音情報エリア４０、映像情報エリア５０、演奏情報エリア６０にそれぞれ記憶されている。
【００２２】
カラオケ曲またはメドレーカラオケ曲の演奏が行なわれる場合には、該当する演奏音情報がコマンダ１０の演奏音再生装置１５に転送される。演奏音再生装置１５では、転送された演奏音情報をアナログの楽音信号に変換し、この楽音信号をアンプ２１に出力する。アンプ２１に入力された楽音信号は、マイク２０を介して入力された歌唱者の歌声と共に増幅されて、スピーカ２２から出力される。尚、演奏音情報は、音色の種類、音高、音量、発音長さ等を演奏の時系列に並べたＭＩＤＩ規格に基づいたデータであり、一曲あたり１００キロバイト程度のデータ量になる。
【００２３】
また、該当する映像情報は、コマンダ１０の映像再生装置１６に転送される。映像再生装置１６では、転送された映像情報に対して種々の信号処理を行なった後、ＣＲＴモニタ２３に提供する。さらに、該当する演奏情報は、ＲＡＭ１４の演奏情報エリア１４Ｃに記憶され、後述する図７に示すメドレーカラオケ曲の演奏処理の情報として用いる。
【００２４】
次に、ハードディスク装置３０内のハードディスク３１に記憶された演奏音情報、映像情報、演奏情報の詳細について、図２、３、４、５に基づいて説明する。図２は演奏音情報を示す図であり、図３は映像情報を示す図であり、図４、５は演奏情報を示す図である。図２、３に示すように、ハードディスク３１に設けられた演奏音情報エリア４０と映像情報エリア５０には、カラオケ曲またはメドレーカラオケ曲の一曲を一単位として、演奏音情報４１、４２、４３、４４等と映像情報５１、５２、５３、５４等がそれぞれに記憶されている。尚、メドレーカラオケ曲の演奏音情報は、そのメドレーカラオケ曲を構成する各カラオケ曲の一部の演奏音情報を順次つなぎ合わせて構成したものであり、映像情報についても同様である。
【００２５】
また、図４に示すように、演奏情報エリア６０には、同様にして、演奏情報６１、６２、６３、６４等が記憶されている。演奏情報６１、６２、６３、６４等の項目について、例えば演奏情報６２をメドレーカラオケ曲のものとして説明すると、図４に示すように曲番号７１、指定音演奏情報７２、指定映像情報７３、第１メドレー情報７４、第２メドレー情報７５等からなる。また、例えば、演奏情報６３をカラオケ曲のものとして説明すると、図５に示すように、指定演奏音情報７２及び指定映像情報７３等からなる。そして、曲番号７１はカラオケ曲またはメドレーカラオケ曲の個々を識別するためのものであり、指定演奏音情報７２と指定映像情報７３には、カラオケ曲またはメドレーカラオケ曲を演奏する際に必要な演奏音情報と映像情報が記憶されたハードディスク３１上のアドレスがそれぞれ記憶されている。尚、カラオケ曲の演奏情報の項目は、曲番号、指定演奏情報、指定映像情報の３項目等からなり、後述する第１メドレー情報７４等は有しない。
【００２６】
第１メドレー情報７４は、メドレーカラオケ曲において最初に演奏されるメドレーカラオケ構成曲に関する情報であり、カウンタの数とカラオケ曲の曲番号を意味する一組の数値により、メドレーカラオケ構成曲とカラオケ曲との対応関係を表わしたものである。例えば、第１メドレー情報７４の項目はカウンタ数８１と指定曲番号８２からなる。カウンタ数８１とは、メドレーカラオケ曲において当該メドレーカラオケ構成曲が演奏される順番を示しており、当該メドレーカラオケ構成曲が演奏されているときのカウンタ１４Ａの数と一致する。具体的には、当該メドレーカラオケ構成曲は最初に演奏されるので、カウンタ数８１には「１」が記憶されている。また、指定曲番号８２には、当該メドレーカラオケ構成曲に対応するカラオケ曲の曲番号が記憶されており、本実施の形態では、当該メドレーカラオケ構成曲を一部分として含むカラオケ曲（全曲）の曲番号が記憶されている。尚、第２メドレー情報７４とは、メドレーカラオケ曲において２番目に演奏されるメドレーカラオケ構成曲に関する情報である。よって、メドレーカラオケ曲の演奏情報には、メドレーカラオケ構成曲と同じ数のメドレー情報がある。
【００２７】
次に、カラオケ装置１がメドレーカラオケ曲を演奏している場合に、「スキップ」、「全曲割り込み演奏」、「全曲演奏予約」を行う方法について、図６、７に基づいて説明する。図６は基本処理のフローチャートを示す図であり、図７はメドレーカラオケ曲の演奏処理のフローチャートを示す図である。
【００２８】
先ず、図６、７に基づいて説明する前に、カラオケ曲またはメドレーカラオケ曲の演奏を行うための、演奏の予約について説明する。演奏の予約は、演奏したいカラオケ曲またはメドレーカラオケ曲の曲番号をカラオケ曲名リスト等で調べ、曲番号キー１１Ｄにより入力してＲＡＭ１４の予約エリア１４Ｂに当該曲番号を記憶することにより行う。演奏の順番は、「先入れ先出し」を原則とするので、予約エリア１４Ｂに最も古く記憶された曲番号のものから演奏される。尚、従来の技術において説明した予約割り込み機能においては、原則が「後入れ先だし」に変更され、予約エリア１４Ｂに最も新しく記憶された曲番号のものが演奏される。
【００２９】
以下、図６、７に基づいて説明する。図６のステップ（以下、「Ｓ」とする）１０では、予約エリア１４Ｂに曲番号が記憶されているか否かを判断することにより、演奏の予約があるかを判断する。演奏の予約がある場合（Ｓ１０；Ｙｅｓ）にはＳ２０へ進み、演奏の予約がない場合（Ｓ１０；Ｎｏ）にはＳ１０に戻って予約エリア１４Ｂに曲番号が記憶されるまでＳ１０の判断を繰り返す。
【００３０】
Ｓ２０では、予約エリア１４Ｂに記憶された曲番号等に基づいて、演奏される曲がメドレーカラオケ曲であるかを判断する。メドレーカラオケ曲である場合（Ｓ２０；Ｙｅｓ）にはＳ４０へ進み、後述する図７に示すメドレーカラオケ曲の演奏処理を行う。演奏される曲がメドレーカラオケ曲でなく、カラオケ曲である場合（Ｓ２０；Ｎｏ）にはＳ３０へ進み、予約エリア１４Ｂに最も古く記憶された曲番号のカラオケ曲の演奏を行って、Ｓ１０に戻る。即ち、曲番号で特定される演奏情報６１、６２、６３等に含まれる指定演奏音情報７２に基づいて、ハードディスク３１から、その曲番号に対応する演奏音情報４１、４２等が読み出されて演奏音再生装置１５に転送され、スピーカ２２からカラオケ演奏音が出力される。一方、指定映像情報７３に基づいて、その曲番号に対応する映像情報５１、５２等が読みだされて映像再生装置１６に転送され、ＣＲＴモニタ２３に背景画とともに歌詞テロップが表示される。尚、曲番号がカラオケ曲かメドレーカラオケ曲かの判断は、演奏情報６１、６２等に、メドレー情報７１等を含むか否かで判断することができる。
【００３１】
次に、図７に示すメドレーカラオケ曲の演奏処理について説明する。この演奏処理において、本発明の「スキップ」、「全曲割り込み演奏」、「全曲演奏予約」が行なわれる。Ｓ５０において、カウンタ１４Ａの数を「１」とする初期設定を行ってＳ６０へ進み、予約エリア１４Ｂに最も古く記憶された曲番号のメドレーカラオケ曲について、最初のメドレーカラオケ構成曲の演奏を行うことより、当該メドレーカラオケ曲の演奏を開始する。即ち、曲番号で特定される演奏情報６１、６２、６３等に含まれる指定音演奏情報７２及び指定映像情報５１、５２等に基づいて、演奏音情報４１、４２等及び映像情報５１、５２等がそれぞれハードディスク３１から読み出され、カラオケ曲同様に、それらに基づいてスピーカ２２からカラオケ演奏音が出力される一方、ＣＲＴモニタ２３に背景画とともに歌詞テロップが表示される。尚、Ｓ５０の初期設定において、後の処理を円滑に行うため、当該曲番号で特定されるメドレーカラオケ曲の演奏情報６１、６２、６３等を、ＲＡＭ１４の演奏情報エリア１４Ｃに記憶する。
【００３２】
Ｓ７０では、全曲演奏予約キー１１Ｃが押下されたか否かを判断する。全曲演奏予約キー１１Ｃが押下された場合（Ｓ７０；Ｙｅｓ）にはＳ８０へ進み、現在のカウンタ１４Ａと同じ数を組合せとする曲番号を、ＲＡＭ１４の演奏情報エリア１４Ｃに記憶されたメドレー情報７４、７５等の指定曲番号から読み取って、Ｓ９０においてＲＡＭ１４の予約エリア１４Ｂに当該曲番号を記憶する。これにより、「全曲演奏予約」が行なわれる。全曲演奏予約キー１１Ｃが押下されていない場合（Ｓ７０；Ｎｏ）には、Ｓ１００へ進む。
【００３３】
Ｓ１００では、全曲割り込み演奏キー１１Ｂが押下されたか否かを判断する。全曲割り込み演奏キー１１Ｂが押下された場合（Ｓ１００；Ｙｅｓ）にはＳ１１０へ進み、現在のカウンタ１４Ａと同じ数を組合せとする曲番号を、ＲＡＭ１４の演奏情報エリア１４Ｃに記憶されたメドレー情報７４、７５等の指定曲番号から読み取り、Ｓ１２０において演奏中のメドレーカラオケ曲を中止するとともに当該曲番号のカラオケ曲（本実施の形態では「全曲」）の演奏を行う。演奏後は、Ｓ１３０へ進んでカウンタ１４Ａの数に「１」を加算し、Ｓ１４０において、全曲割り込み演奏キー１１Ｂが押下された時に演奏が行なわれていたメドレーカラオケ構成曲の次につなぎ合わされたメドレーカラオケ構成曲から演奏を行うことより、メドレーカラオケ曲の演奏を再開してＳ１７０へ進む。これにより、「全曲割り込み演奏」が行なわれる。全曲割り込み演奏キー１１Ｂが押下されていない場合（Ｓ１００；Ｎｏ）には、Ｓ１５０へ進む。
【００３４】
Ｓ１５０では、スキップキー１１Ａが押下されたか否かを判断する。スキップキー１１Ａが押下された場合（Ｓ１５０；Ｙｅｓ）にはＳ１３０へ進み、カウンタ１４Ａの数に「１」を加算し、Ｓ１４０で、スキップキー１１Ａが押下された時に演奏が行なわれていたメドレーカラオケ構成曲の残りを飛ばし、次につなぎ合わされたメドレーカラオケ構成曲から演奏を行うことより、メドレーカラオケ曲の演奏を続行してＳ１７０へ進む。これにより、「スキップ」が行なわれる。スキップキー１１Ａが押下されていない場合（Ｓ１５０；Ｎｏ）には、Ｓ１６０へ進む。
【００３５】
Ｓ１６０では、メドレーカラオケ構成曲の演奏が終了したか否かを判断する。メドレーカラオケ構成曲の演奏が終了した場合（Ｓ１６０；Ｙｅｓ）にはＳ１３０へ進み、カウンタ１４Ａの数に「１」を加算し、演奏が終了したメドレーカラオケ構成曲の次につなぎ合わされたメドレーカラオケ構成曲の演奏を行い、Ｓ１７０へ進む。メドレーカラオケ構成曲の演奏が終了していない場合（Ｓ１６０；Ｎｏ）には、何も行なわずにＳ１７０へ進む。
【００３６】
Ｓ１７０では、メドレーカラオケ曲の演奏が終了したか判断する。メドレーカラオケ曲の演奏が終了した場合（Ｓ１７０；Ｙｅｓ）には、メドレーカラオケ曲の演奏処理を終了して図６のＳ１０に戻る。メドレーカラオケ曲の演奏が終了していない場合（Ｓ１７０；Ｎｏ）には、Ｓ７０に戻って上述した動作を繰り返す。
【００３７】
以上詳細に説明したように、本実施の形態のカラオケ装置１では、メドレーカラオケ曲の演奏中に、コマンダ１０の入力部１１に備えられたスキップキー１１Ａが押下されると、Ｓ１５０においてスキップキー１１Ａが押下されたと判断され（Ｓ１５０；Ｙｅｓ）、Ｓ１４０においてスキップキー１１Ａが押下された時に演奏が行なわれていたメドレーカラオケ構成曲の残りを飛ばし、次につなぎ合わされたメドレーカラオケ構成曲から演奏を行なって、メドレーカラオケ曲の演奏を続行することができるので、メドレーカラオケ曲を演奏している場合に「スキップ」を行うことができる。
【００３８】
また、コマンダ１０のＲＡＭ１４には演奏が行なわれたメドレーカラオケ構成曲の数を数えるカウンタ１４Ａを備え、また、コマンダ１０のハードディスク装置３０に記憶されている演奏情報６２等には、カラオケ曲を識別する曲番号７１等と、メドレーカラオケ構成曲に関するメドレー情報７４、７５等を各メドレーカラオケ構成曲に対して備えており、各メドレー情報７４、７５等においては、カウンタ１４Ａの数とカラオケ曲の曲番号７１を意味する数がカウンタ数８１と指定曲番号８２にそれぞれ記憶されているので、「全曲割り込み演奏」や「全曲演奏予約」において、カウンタ１４Ａが示す数を介して各メドレー情報７４、７５等により、演奏中のメドレーカラオケ構成曲と対応関係にあるカラオケ曲（本実施の形態では「全曲」）の曲番号を知ることができる。
【００３９】
従って、メドレーカラオケ曲の演奏中に、コマンダ１０の入力部１１に備えられた全曲割り込み演奏キー１１Ｂが押下されると、Ｓ１００において全曲割り込み演奏キー１１Ｂが押下されたと判断され（Ｓ１００；Ｙｅｓ）、Ｓ１１０においてメドレーカラオケ曲の演奏を中止するとともに、全曲割り込み演奏キー１１Ｂが押下された時に演奏が行なわれていたメドレーカラオケ構成曲について、該当するメドレー情報の指定曲番号に記憶された曲番号を読み取り、Ｓ１２０において、かかる曲番号のカラオケ曲（本実施の形態では「全曲」）の演奏を行うことより、全曲割り込み演奏キー１１Ｂが押下された時に演奏が行なわれていたメドレーカラオケ構成曲と対応関係にあるカラオケ曲（本実施の形態では「全曲」）の演奏を行う。カラオケ曲（本実施の形態では「全曲」）の演奏後は、Ｓ１４０において、全曲割り込み演奏キー１１Ｂが押下された時に演奏が行なわれていたメドレーカラオケ構成曲の次につなぎ合わされたメドレーカラオケ構成曲から、メドレーカラオケ曲の演奏を再開することができるので、もって、メドレーカラオケ曲を演奏している場合に「全曲割り込み演奏」を行うことができる。
【００４０】
さらに、コマンダ１０の入力部１１に全曲演奏予約キー１１Ｃと、コマンダ１０のＲＡＭ１４にカラオケ曲の演奏を予約するために曲番号７１等が記憶される予約エリア１４Ｂとをそれぞれ備え、メドレーカラオケ曲の演奏中に全曲演奏予約キー１１Ｃが押下されると、Ｓ７０において全曲演奏予約キー１１Ｃが押下されたと判断され（Ｓ７０；Ｙｅｓ）、Ｓ９０において該当するメドレー情報の指定曲番号に記憶された曲番号を読み取って予約エリア１４Ｂに記憶する。従って、全曲演奏予約キー１１Ｃが押下された時に演奏が行なわれていたメドレーカラオケ構成曲と対応関係にあるカラオケ曲（本実施の形態では「全曲」）の曲番号をメドレー情報に基づいて予約エリア１４Ｂに記憶することができ、もってメドレーカラオケ曲を演奏している場合に「全曲演奏予約」を行うことができる。
【００４１】
尚、本発明は上記実施の形態に限定されるものでなく、その趣旨を逸脱しない範囲で様々な変更が可能である。
例えば、本実施の形態のカラオケ装置１は通信型のものであるが、従来のレーザーディスクなどによるカラオケ装置に対しても適用することができる。
【００４２】
また、「全曲演奏予約」は、メドレーカラオケ曲を演奏している場合に、演奏中のメドレーカラオケ構成曲と対応関係にあるカラオケ曲（本実施の形態では「全曲」）について演奏予約するものだが、Ｓ３０においてカラオケ曲を演奏している場合に、Ｓ７０、Ｓ８０、Ｓ９０の動作を追加し、追加したＳ８０においては、ＲＡＭ１４の演奏情報エリア１４Ｃに記憶された演奏情報から曲番号を読み取ることにより、演奏中のカラオケ曲の演奏予約を全曲演奏予約キー１１Ｂの押下のみで可能となる。
【００４３】
同様に、Ｓ１２０において全曲を演奏している場合に、Ｓ７０、Ｓ８０、Ｓ９０の動作を追加することにより、メドレーカラオケ曲を演奏している場合だけでなく、メドレーカラオケ曲の演奏が中止されて全曲が演奏されている場合においても、その全曲の演奏予約を全曲演奏予約キー１１Ｂの押下のみで可能となる。
【００４４】
【発明の効果】
以上、説明したことから明らかなように、本発明のカラオケ装置では、コマンダの入力部にスキップキーを備え、メドレーカラオケ曲の演奏中にスキップキーが押下されると、スキップキーが押下された時に演奏が行なわれていたメドレーカラオケ構成曲の次につなぎ合わされたメドレーカラオケ構成曲に移行して、メドレーカラオケ曲の演奏を続行することができるので、メドレーカラオケ曲を演奏している場合に「スキップ」を行うことができる。
【００４５】
また、コマンダのＲＡＭには演奏が行なわれたメドレーカラオケ構成曲の数を数えるカウンタを備え、また、コマンダのハードディスク装置に記憶されている演奏情報には、カラオケ曲を識別する曲番号と、メドレーカラオケ構成曲に関するメドレー情報を各メドレーカラオケ構成曲に対して備えており、各メドレー情報においては、カウンタの数とカラオケ曲の曲番号を意味する数がカウンタ数と指定曲番号にそれぞれ記憶されているので、「全曲割り込み演奏」や「全曲演奏予約」において、カウンタが示す数を介して各メドレー情報により、演奏中のメドレーカラオケ構成曲と対応関係にあるカラオケ曲（全曲）の曲番号を知ることができる。
【００４６】
従って、メドレーカラオケ曲の演奏中に、コマンダの入力部に備えられた全曲割り込み演奏キーが押下されると、メドレーカラオケ曲の演奏を中止するとともに、全曲割り込み演奏キー１１Ｂが押下された時に演奏が行なわれていたメドレーカラオケ構成曲について、該当するメドレー情報の指定曲番号に記憶された曲番号を読み取り、かかる曲番号の演奏を行うことより、全曲割り込み演奏キーが押下された時に演奏が行なわれていたメドレーカラオケ構成曲と対応関係にあるカラオケ曲（全曲）の演奏を行い、カラオケ曲（全曲）の演奏後は、全曲割り込み演奏キーが押下された時に演奏が行なわれていたメドレーカラオケ構成曲の次につなぎ合わされたメドレーカラオケ構成曲から、メドレーカラオケ曲の演奏を再開することができるので、メドレーカラオケ曲を演奏している場合に「全曲割り込み演奏」を行うことができる。
【００４７】
さらに、コマンダの入力部に全曲演奏予約キーと、コマンダのＲＡＭにはカラオケ曲の演奏を予約するために曲番号が記憶される予約エリアとをそれぞれ備え、メドレーカラオケ曲の演奏中に全曲演奏予約キーが押下されると、該当するメドレー情報の指定曲番号に記憶された曲番号を読み取って予約エリアに記憶するので、全曲演奏予約キーが押下された時に演奏が行なわれていたメドレーカラオケ構成曲と対応関係にあるカラオケ曲（全曲）の曲番号をメドレー情報に基づいて予約エリアに記憶することができ、もってメドレーカラオケ曲を演奏している場合に「全曲演奏予約」を行うことができる。
【図面の簡単な説明】
【図１】カラオケ装置の構成を示すブロック図である。
【図２】演奏音情報を示す図である。
【図３】映像情報を示す図である。
【図４】メドレー情報を示す図である。
【図５】メドレー情報を示す図である。
【図６】基本処理のフローチャートを示す図である。
【図７】メドレーカラオケ曲の演奏処理のフローチャートを示す図である。
【符号の説明】
１      カラオケ装置
１１Ａ  スキップキー
１１Ｂ  全曲割り込み演奏キー
１１Ｃ  全曲演奏予約キー
１４Ａ  カウンタ
１４Ｂ  予約エリア
４１、４２、４３、４４    演奏音情報
５１、５２、５３、５４    映像情報
６１、６２、６３、６４    演奏情報
７１    曲番号
７４、７５    メドレー情報
８１    カウンタ数
８２    指定曲番号
【図１】
0003576651.tif 000002
【図２】
0003576651.tif 000003
【図３】
0003576651.tif 000004
【図４】
0003576651.tif 000005
【図５】
0003576651.tif 000006
【図６】
0003576651.tif 000007
【図７】
0003576651.tif 000008